(57)【要約】本発明にかかる、食品を収容する包装容器（１００）のための封止装置（１）は、食品を被覆しそして少なくとも部分的に封止するために用いられるフィルムを形成する一ピース（Ｓｐ）の薄い可撓性材料を把持かつ／または供給するためのユニット（２）と、環状本体（７）と環状本体（７）から延設される二つの端子（８）とを有する加減抵抗器（６）を備える封止要素（５）と、を備える。二つの端子（８）は、環状本体（７）を所定の封止温度に加熱することができる電流を加減抵抗器（６）に沿って流させるよう、該二つの端末（８）の端部に電位差を生成し維持することができる電圧生成器に接続可能である。それぞれの端子（８）は、加減抵抗器（６）の環状本体（７）への接続点における断面が、端子（８）の他のすべての点の断面と比較して表面積が最も小さい。【選択図】図１
2019523183.tif 000002
【特許請求の範囲】
【請求項１】
包装容器上の食品を被覆しそして少なくとも部分的に封止するために用いられるフィルムを形成する一ピース（Ｓｐ）の薄い可撓性材料を把持かつ／または供給するためのユニット（２）と、
環状本体（７）と前記環状本体（７）から延設される二つの端子（８）とを有する加減抵抗器（６）を備える封止要素（５）であって、前記二つの端子（８）は、前記環状本体（７）を所定の封止温度に加熱することができる電流を前記加減抵抗器（６）に沿って流れさせるよう、該二つの端末（８）の端部に電位差を生成し維持することができる電圧生成器（１０）に接続可能である封止要素（５）と、
を備える食品を収容する包装容器（１００）のための気密封止装置（１）であって、
それぞれの端子（８）は、前記加減抵抗器（６）の前記環状本体（７）との接続点において、前記端子（８）の他のすべての点の断面と比較して表面積（Ｓ’）が最も小さい断面を持ち、
前記加減抵抗器（６）の前記環状本体（７）は、前記包装容器と前記一ピース（Ｓｐ）のフィルムとの間で前記食品を気密に封止するよう、前記包装容器に沿って前記一ピース（Ｓｐ）のフィルムを封止するのに十分に長い所定の時間の長さで前記包装容器の所定の部分と接するよう配置される前記一ピース（Ｓｐ）のフィルムと接触するように構成される装置。
【請求項２】
請求項１に記載の気密封止装置（１）であって、前記包装容器が煎じ出し用芳香物質を収容するカプセル（１００）であり、
充填開口部（１０２）を構成する自由端縁部（１０６）を有するカップ状カプセル（１００）の蓋（１０４）を形成するために用いられるフィルムを形成する一ピース（Ｓｐ）の薄い可撓性材料を把持かつ／または供給するためのユニット（２）と、
環状本体（７）と前記環状本体（７）から延設される二つの端子（８）とを有する加減抵抗器（６）を備える封止要素（５）であって、前記二つの端子（８）は、前記環状本体（７）を所定の封止温度に加熱することができる電流を前記加減抵抗器（６）に沿って流れさせるよう、該二つの端末（８）の端部に電位差を生成し維持することができる電圧生成器（１０）に接続可能である封止要素（５）と、
を備え、
それぞれの端子（８）は、前記加減抵抗器（６）の前記環状本体（７）との接続点において、前記端子（８）の他のすべての点の断面と比較して表面積（Ｓ’）が最も小さい断面を持ち、
前記加減抵抗器（６）の前記環状本体（７）は、前記カプセルを閉じるよう、前記カプセルの縁部に沿って前記一ピース（Ｓｐ）のフィルムを封止するのに十分に長い所定の時間の長さで前記カプセル（１００）の前記開口部（１０２）の前記自由端縁部（１０６）と外側縁部が接するよう配置される前記一ピース（Ｓｐ）のフィルムと接触するように構成される装置。
【請求項３】
請求項１に記載の気密封止装置（１）であって、前記包装容器（１００）がそれぞれがチョコレート、スイーツ等の食品の周囲を包装する個々の包装材であり、
一の面の上に一つのそのような食品を受けるよう設計される包装材料のシートと、
包装材料の前記シート上で前記食品を被覆し封止するための要素を形成するために用いられる一ピース（Ｓｐ）の薄いフィルムの可撓性材料を把持かつ／または供給するためのユニット（２）と、
環状本体（７）と前記環状本体（７）から延設される二つの端子（８）とを有する加減抵抗器（６）を備える封止要素（５）であって、前記二つの端子（８）は、前記環状本体（７）を所定の封止温度に加熱することができる電流を前記加減抵抗器（６）に沿って流れさせるよう、該二つの端末（８）の端部に電位差を生成し維持することができる電圧生成器（１０）に接続可能である封止要素（５）と、
を備え、
それぞれの端子（８）は、前記加減抵抗器（６）の前記環状本体（７）との接続点において、前記端子（８）の他のすべての点の断面と比較して表面積（Ｓ’）が最も小さい断面を持ち、
前記加減抵抗器（６）の前記環状本体（７）は、前記被覆・封止要素で被覆される前記食品が前記加減抵抗器（６）を通過することができるよう形成されており、前記加減抵抗器は、前記食品の基部を囲繞するとともに、前記食品自体の基部の周囲全長にわたって包装材料の前記シート上に前記一ピース（Ｓｐ）のフィルムを封止するのに十分に長い所定の時間の長さで前記包装材料の前記シートと接するよう配置される前記一ピース（Ｓｐ）のフィルムと接触するよう設計される装置。
【請求項４】
請求項１〜３のいずれか一に記載の装置であって、
前記把持ユニット（２）および前記加減抵抗器（６）の前記環状本体（７）と同軸状に装着されるブレード（１４）を備えており、
前記ブレード（１４）は、可撓性材料のウェブ（Ｗ）から前記把持ユニット（２）によってピックアップされる前記一ピース（Ｓｐ）のフィルムを切断するよう設計されている装置。
【請求項５】
請求項１〜４のいずれか一に記載の装置であって、
前記加減抵抗器（６）の前記環状本体（７）とのそれぞれの端子（８）の接点に、前記電流（ｉ）が、前記環状本体（７）に沿って流れて他方の端子（８）において合流する二つの二次電流（ｉ１，ｉ２）に分かれる電気的ノード（１１）が形成されており、
それぞれのノード（１１）における、表面積（Ｓ’）が前記端子の他のすべての点の断面と比較して最も小さい前記断面の周囲に位置する前記端子（８）の部分は、対応するそれぞれの端子の他の断面において測定される電気抵抗のなかで最大である所定の電気抵抗（Ｒ’）を構成する装置。
【請求項６】
請求項１〜５のいずれか一に記載の装置において、表面積（Ｓ’）が前記端子の他のすべての点の断面と比較して最も小さい前記断面の周囲に位置する前記端子（８）の前記部分において、ジュール効果によって、前記端子の他の点に生じ得る温度より高い温度が生じる装置。
【発明の詳細な説明】
【技術分野】
【０００１】
本発明は、食品を収容する包装容器のための気密封止装置に関する。
【０００２】
本発明を説明するとともに特許を請求するために本開示において用いられる以下の語は、
包装容器が、包装用包み、容器、カプセルを意味し、
被覆・封止要素が、蓋、被覆材、封止するためのカバー、被覆・封止フィルムを意味する。
【０００３】
語「食品」は、スイーツ、チョコレート、ボンボン、スナックおよびコーヒーのカプセルやポッドまたは煎じ出し用製品を収容するカプセルやポッドを意味するよう用いる。
【背景技術】
【０００４】
煎じ出しの準備に用いられるカプセルは、使い捨てのタイプであり、通常、芳香物質の一部を保持するために用いられる容器を備えており、容器は水を供給可能に穿孔することができる蓋と、底部と、を有する。容器内にある芳香物質との水の煎じ出しの効果によって生成される飲料は、底部を通じて、供給される。
【０００５】
カプセルを製造するための従来技術の包装機械は、非常に簡潔には、所定の経路に沿って供給方向に容器を移動させるために搬送ラインを備える。
【０００６】
供給経路に沿った第一ステーションにおいて、容器搬送ラインの上方に少なくとも部分的に配置されるシート材料の連続的なウェブを供給するシステムが配置され、当該ウェブからカプセル底部内層が切断され、容器に挿入される。
【０００７】
このステーションにおいて、それぞれの底部内層がウェブから切断され、下方へ供給され、対応するそれぞれの容器に挿入される。当該ステーションにおいて、底部内層が容器に封止される。
【０００８】
次に、充填ステーションにおいて、容器に、適当に計量された量の芳香物質が充填される。
【０００９】
供給方向に沿った充填ステーションの下流側に、従来技術の機械は、蓋がそれぞれの容器に貼り付けられるカプセルを密閉するためのステーションを備える。
【００１０】
底部内層と略同じように、密閉ステーションは、通常、容器搬送ラインの上方に少なくとも部分的に配置されるフィルムの連続的なウェブを供給するためのシステムを有する。当該ウェブから蓋が切断され、それぞれの容器の最上部の開口部に貼り付けられる。
【００１１】
それぞれの蓋は、ウェブから切断され、下方へ供給され、対応するそれぞれの容器に貼り付けられ封止される。
【００１２】
概略的に言って、蓋と底部内層（備えられている場合）との両方を貼り付けるために、上述の動作は、蓋または底部内層を切断するためのナイフと蓋または底部内層を保持するための取り出し要素と封止器（必要な場合）とを有するアクチュエータ手段によって実行される。処理される容器と同じ間隔を空けて配置されるアクチュエータ手段はそれぞれ、基本的に、底部内層または蓋を容器内にまたは容器上に貼り付け／位置決めする、上昇位置と降下位置との間で移動可能なロッドを備える。端部位置間の中間の位置において、説明する通り、底部内層または蓋が対応するそれぞれの連続的なウェブから切断される。
【００１３】
カプセルを製造するための機械の一例は、本願出願人の特許出願ＢＯ２０１３Ａ０００３９０に記載されている。
【００１４】
機械は、切断ステーションと封止ステーションとを備える。またカプセル蓋を形成するウェブのピースを送出するために設けられた送出手段が切断ステーションと封止ステーションとの間で動作する。
【００１５】
また食品のための包装容器は、チョコレート、スイーツ等の食料品のための包装材を有することもできる。
【００１６】
切断ステーションから封止ステーションへウェブのピースを送出しなければならないこと、そしてジュール効果によって生じる熱に基づく封止ステーションの効率が低いこと、によって機械の効率が低いことを本願出願人は見出した。実際に、従来技術の封止ステーションの第一欠点は、封止温度が封止面全体にわたって一定ではないということにある。他の欠点は、高い封止温度で動作する必要性と同時に漏れの制限を合わせて実現できないことにある。実際、一方では、動作電流を大きくすることにより封止温度を上昇することができるが、他方では、回路漏れはまさに当該動作電流の自乗に正比例する。
【発明の概要】
【００１７】
この事情に鑑みて、本発明の主な技術的目的は上述の欠点を克服することにある。
【００１８】
本発明の一の目的は、効率的である同時に封止と電気効率の両方を最適化するという相反する必要性を両立することができる煎じ出し用芳香物質を収容するカプセルやポッド等の食品包装容器を封止するための装置を提案することにある。
【００１９】
本発明の他の目的は、コンパクトであり機械全体の効率を向上することができる煎じ出し用芳香物質を収容するカプセルやポッド等を封止するための装置を提案することにある。
【００２０】
本発明の他の目的は、スイーツ、チョコレート等を気密に封止するための装置を提案することにある。
【００２１】
上述の技術的目的および趣旨は、添付の特許請求の範囲における一以上の請求項に記載した技術的特徴を備える煎じ出し用芳香物質を収容するカプセルを封止するための装置によって十分に達成される。
【図面の簡単な説明】
【００２２】
本発明のさらなる特徴およびその利点は、以下の添付図面に例示する封止装置の好ましいが限定するものではない実施形態に関する、以下の説明からより明瞭となろう。
【図１】食品を収容する包装容器を気密に封止するための本発明にかかる装置の分解斜視図である。
【図２】組み立てられたときの図１の封止装置を概略的な正面図および部分的断面図で示す。
【図３】図２の線ＩＩＩ−ＩＩＩを通る断面を示す。
【図４】図１の封止装置の加減抵抗器を概略的な側面で示す。
【図５】図１の封止装置の加減抵抗器を概略的な正面図で示す。
【図６】図１の封止装置の加減抵抗器を概略的な上面図で示す。
【図７】図１の封止装置の加減抵抗器を概略的な斜視図で示す。
【図８】図７における細部Ａを概略拡大図で示す。
【図９】コーヒー・カプセルを気密に封止するための一連の構成における図３の封止装置を示す。
【図１０】コーヒー・カプセルを気密に封止するための一連の構成における図３の封止装置を示す。
【図１１】コーヒー・カプセルを気密に封止するための一連の構成における図３の封止装置を示す。
【図１２】コーヒー・カプセルを気密に封止するための一連の構成における図３の封止装置を示す。
【図１３】図１２における細部を概略拡大図で示す。
【図１４】食品を特にスイーツ、チョコレートおよび同様の製品を収容する包装容器を気密に封止するための本発明にかかる装置を示す。
【図１５】食品を特にスイーツ、チョコレートおよび同様の製品を収容する包装容器を気密に封止するための本発明にかかる装置を示す。
【図１６】食品を特にスイーツ、チョコレートおよび同様の製品を収容する包装容器を気密に封止するための本発明にかかる装置を示す。
【図１７】食品を特にスイーツ、チョコレートおよび同様の製品を収容する包装容器を気密に封止するための本発明にかかる装置を示す。
【図１８】食品を特にスイーツ、チョコレートおよび同様の製品を収容する包装容器を気密に封止するための本発明にかかる装置を示す。
【発明を実施するための形態】
【００２３】
図１〜図３を参照して、参照符号１は、本発明にかかる、煎じ出し用芳香物質を収容するカプセル１００を封止するための装置を示す。
【００２４】
例として、図１３は、例えばカップ状の容器１０１を基本的に備えるカプセル１００を示す。容器１０１は充填開口部１０２と底部１０３とを有する。底部１０３を通じて、容器にある芳香物質（図示せず）との水の煎じ出しの効果によってカプセル１００の使用の際に生成される飲料が供給される。
【００２５】
関連のカプセル１００は使い捨てのカプセルであり、穿孔することができる蓋１０４をさらに備える。蓋１０４を通じて、水を供給することができる。蓋１０４は、封止によって貼り付けられる。またカプセル１００は、図示する実施例においては、容器１０１の底部１０３に配置される底部内層１０５、例えばフィルタ要素を備えることができる。
【００２６】
容器１０１は、蓋１０４が貼り付けられ封止される開口部１０２を構成する自由端縁部１０６を有する。
【００２７】
蓋１０４は、一ピースＳｐの薄い可撓性材料が切断される可撓性材料のウェブＷから形成される。蓋の形状は、特に容器１０１および開口部１０２の形状に応じて変更できる。一般的に言って、蓋の形状は円板状であるが、他の実施形態も想定される。
【００２８】
封止装置１は、例えば吸引によって動作する把持ユニット２を備える。より具体的には、把持ユニット２は、吸引ダクト３を有する吸引カップである。
【００２９】
把持ユニット２は、カプセル１００の蓋１０４を形成するよう用いられる一ピースＳｐの可撓性材料のフィルムをピックアップして保持するために、長手方向軸４に沿って延設されるとともに移動可能である。
【００３０】
また封止装置１は、加減抵抗器６を備える封止要素５を備える。加減抵抗器６は、環状本体７と、環状本体７から延設される二つの端子８と、を有する。環状本体７は好ましくは平面形状を有する、すなわち、ともに形状が環状であり平行な二つの面内にある上側環状表面７ａと下側環状表面７ｂとを有する。
【００３１】
把持ユニット２は、加減抵抗器６の環状本体７と同軸状に配置され、長手方向軸４に沿って環状本体を越えて延びる。
【００３２】
図４〜図７は、加減抵抗器６の実施可能な形態を示す。図示する例においては円形である環状本体７の形状は、蓋１０４およびカプセル１００の形状に応じた形状である。
【００３３】
二つの端子８は、環状本体７を所定の封止温度に加熱することができる電流を加減抵抗器６に沿って流れさせるよう、二つの端末の端部に電位差ΔＶを生成し維持することができる電圧生成器に接続可能である。参照符号９は概略的に、封止要素の部分を形成する電圧生成器１０への電気接続を示している。
【００３４】
図８により詳細に示す通り、それぞれの端子８は、加減抵抗器６の環状本体７への接続点において、端子の他のすべての点の断面と比較して表面積が最も小さい断面Ｓ１を持つ。
【００３５】
なお、加減抵抗器６の環状本体７は、カプセルを閉じるよう、カプセルの縁部に沿って一ピースＳｐのフィルムを封止するのに十分に長い所定の時間の長さでカプセル１００の開口部１０２の自由外側端縁部１０６と外側縁部が接するよう配置される一ピースＳｐのフィルムと接触するように構成されることを記載しておく。
【００３６】
図８を参照して、加減抵抗器６の環状本体７とのそれぞれの端子８の接点に、電流ｉが、環状本体７に沿って流れて他方の端子において合流する二つの二次電流ｉ１，ｉ２に分かれる電気的ノード１１が形成されている。より具体的に、図８に、電流が流れる面Ｓ’，Ｓ１，Ｓ２を分かりやすくする加減抵抗器のノード１１の斜視図を示す。
【００３７】
面Ｓ’は、加減抵抗器の二つの端子のうちの一方の横方向断面における面である。他方の端子および対応するノードの形状は同じである。この図から分かる通り、Ｓ１＜Ｓ’である。
【００３８】
二つの面Ｓ２は、環状本体７の横方向断面である。
【００３９】
それぞれのノード１１における、表面積が端子の他のすべての点の断面と比較して最も小さい断面Ｓ１の周囲に位置する端子の部分は、対応するそれぞれの端子の他の断面において測定される電気抵抗のなかで最大である所定の電気抵抗Ｒ１を構成する。
【００４０】
実際には、知られている通り、抵抗Ｒは電気電導度Ｇの逆数であり、以下のように定義される。
Ｒ＝１／Ｇ＝Ｌ／σＳ＝ρＬ／Ｓ
ここで、σは導電率（その逆数ρは電気抵抗率である）であり、Ｌは抵抗が測定される点の間の距離（従って加減抵抗器の長さ）であり、Ｓは電流の方向に垂直な断面の面積である。
【００４１】
したがって、電流ｉのフローに対して面Ｓ’を通じて生じる抵抗Ｒ’は、面Ｓ１を通じて生じる抵抗Ｒ１および面Ｓ２を通じて生じる抵抗Ｒ２よりも小さいことが分かる。面が小さいほど抵抗が大きくなるからである。
【００４２】
表面積が端子の他のすべての点の断面と比較して最も小さい断面Ｓ１の周囲に位置する端子の部分において、ジュール効果によって、端子の他の点に生じ得る温度より高い温度が生じる。
【００４３】
実際、抵抗値を大きくすることによって、知られている関係Ｐ＝ＲＩ２に応じてジュール効果による熱へと変換することができる電力の値を大きくすることができる。
【００４４】
環状本体７との接続点における端子の横方向表面積を小さくする効果によって、電流ｉを大きくすることなく加減抵抗器の環状本体７を必要な封止温度に維持することができる。
【００４５】
このように、環状本体７との接続点における端子の横方向断面を小さくすることによって、ノード１１における熱を増加することができる。ノード１１における熱は、ノードにおいて合流する面（すなわち環状本体７の横方向表面と端子８の横方向表面）を加算したと考えた場合にノードにおいて生じる冷却効果とは対照的に逆の効果を与える。さらに、ノード１１の電流ｉは、面Ｓ１の左側と右側にそれぞれ流れる二つの電流ｉ１，ｉ２に分かれる。電流ｉ１，ｉ２によって、加減抵抗器の環状本体７を必要な封止温度に維持することができる。
【００４６】
これにより、ノードにおいて冷えすぎることを防止でき、電流ｉの値を制限でき、そして電流ｉ自体の自乗に正比例する漏れの増加を防止できる。
【００４７】
なお、上記に加えて、ノード１１の状況では、長さは無視でき、したがって、関連する抵抗は断面Ｓ１の値にのみ直接影響を受けることを記載しておく。これに対して、環状本体７の長さは、無視できないだけでなく加減抵抗器の他の部分より大きいので、用いられる電流が同じ条件であれば得られる封止温度を大幅に高くすることができる。
【００４８】
図を参照して、端子８は、支持スリーブ１２との機械的な接続と電圧生成器１０との電気的な接続のための直立範囲８ａを有する。直立範囲８ａは、環状本体７の平面形状に対して垂直に延設され、環状本体をスリーブ１２に固定するための溝８ｃを好ましくは有する。
【００４９】
またそれぞれの端子８は、直立範囲８ａと環状本体７の平面形状とに対してある角度で配置される接続範囲８ｂを有する。好ましくは、直立範囲８ａの断面Ｓ’は一定であり、接続範囲８ｂの横方向断面は環状本体７との接続点において最小値Ｓ１へと減少する。
【００５０】
スリーブ１２は、長手方向軸４に沿って延設される貫通空洞１３を規定する。貫通空洞１３の内部には把持ユニット２が同軸状に配置される。より具体的には、把持ユニット２は、図示しない移動装置を用いてスリーブ１２に対して長手方向軸４に沿って移動可能である。図９〜図１２を参照して、把持ユニット２は、図１１に示す上昇位置と、図１０に示す切断直後のピースＳｐをピックアップする降下位置との間でスリーブ１２内において移動可能である。
【００５１】
本説明を読み進めると明らかとなる通り、上昇位置は封止位置に対応する。言い換えれば、把持ユニット２は、上昇位置と降下位置との間で加減抵抗器６（スリーブ１２に取り付けられる）に対して長手方向軸４に沿って移動可能である。
【００５２】
また封止装置１は、把持ユニット２および加減抵抗器の環状本体７と同軸状に配置されるブレード１４を備える。より具体的には、ブレード１４は管状であり、そして、把持ユニット２はブレード自体の内側に配置される。ブレード１４は、可撓性材料のウェブＷから把持ユニット２によってピックアップされる一ピースＳｐのフィルムを切断するよう設計されている。
【００５３】
より具体的には、ブレード１４は、支持体１５に装着され、好ましくは垂直方向でありウェブＷに対して直角な切断方向を表す長手方向軸４に沿って移動可能である。ブレードは、図９に示す上昇レスト位置と図１０に示す降下切断位置との間で移動可能である。より具体的には、ブレード１４は、供給経路Ｐに沿ったウェブＷを対応するそれぞれの降下位置において切り取る。
【００５４】
好ましくは、以下に説明する通り、切断ブレード１４の移動の際に、支持体１５と加減抵抗器６を備える封止要素５とは長手方向軸４に沿って一体に移動する。
【００５５】
本発明にかかる封止装置１は、例えば所定の経路に沿って容器を移動させるための手段を備えるカプセル１００を製造するための図示しない機械に適用可能である。また機械は、所定の供給経路Ｐに沿って可撓性材料のウェブＷを移動させるための手段を備えることもできる。
【００５６】
図９〜図１２に、カプセル１００を製造するための機械において封止装置１以降の切断・封止シーケンスを示す。
【００５７】
機械動作における一工程の際、例えば図９に示す通り、封止装置１はウェブＷの上方に配置することができる。図９では、把持ユニット２およびブレード１４の両方が上昇位置にある。
【００５８】
その後、封止装置１は、ピースＳｐを切断するためにウェブＷの経路Ｐにおいて動作することができる。ブレード１４が（支持体１５とともに）降下切断位置に達しているこの動作工程を、例えば図１０に示す。切断工程の際、ウェブＷを停止することができ、あるいは封止装置１がウェブＷと同期して経路Ｐに沿って移動することもできる。また図１０は、把持ユニット２が降下位置に達したときにピースＳｐを掴んでいる状態を示している。
【００５９】
機械は、ウェブＷを綺麗に切断するためにブレード１４とともに作用する図示しない基材（matrix）を備えることができる。
【００６０】
次に、例えば図１１に示す通り、環状本体７の下面７ａとピースＳｐの上面とを接触させるよう、把持ユニット２は、ブレード１４および加減抵抗器６に対して上昇する。
【００６１】
例えば図１２に示す以降の工程において、容器１０１は封止装置１の下に配置され、そしてピースＳｐの下面は充填開口部１０２を構成する自由端縁部１０６と接して配置される。この位置は、図１３においてより詳細に示す封止位置に対応する。
【００６２】
本発明にかかる封止装置は効率的であり、封止効率と電気効率との両方を最適化するという相反する必要性を両立することができる利点がある。より具体的には、断面が変化する端子を用いることによって、ノードにおいて冷えすぎることを回避し、一方では高い封止温度で動作する必要性と他方では漏れを制限する必要性とを組み合わせることができる。さらに、切断される時点から封止される時点まで同じ把持ユニットと関係した状態に維持されるフィルムのピースの中間送出の必要がないので、加減抵抗器とブレードとの組み合わせによって機械効率を向上することができる。
【００６３】
図１４〜図１８において、参照符号１６は、例えばチョコレート、スイーツまたは同様な製品等の食品を示す。
【００６４】
把持ユニット２は、チョコレート１６を被覆しそして少なくとも部分的に封止するために用いられるフィルムを形成する一ピースＳｐの薄い可撓性材料をピックアップし供給するための吸引カップ１７である。
【００６５】
包装容器は、チョコレート１６の周囲を包装する包み１８から構成される。
【００６６】
包みは、一方の面上にチョコレート１６を受けるよう設計される包装材料のシート１９を備える。
【００６７】
複数のシート１９が、搬送ベルト２０に供給され前進する。
【００６８】
把持ユニット２は、チョコレート１６上に一ピースＳｐの可撓性材料を配置する。
【００６９】
図に示す通り、カプセル１００の場合と全く同じように、加減抵抗器６の環状本体７は、チョコレート１６が配置されるシート１９の面と製品１６の周囲の縁部で接する一ピースＳｐのフィルムと接触するよう設計される。
【００７０】
環状本体７が電圧生成器１０と接続可能な加減抵抗器６を有する封止要素５のすべての特徴の先の説明は、図１４〜図１８に示す実施形態にも当てはまる。
【００７１】
このように環状本体７を所定の封止温度に加熱できる電流を加減抵抗器６に沿って流れさせるよう、同じ電圧生成器１０に接続されたときその電圧生成器が二つの端子８の端部に電位差を生成し維持できる二つの端子８が、環状本体７に配置されている。
【００７２】
加減抵抗器６の環状本体７は、包装容器−つまりシート１９−と一ピースＳｐのフィルムとの間で製品を気密に封止するよう、一ピースＳｐのフィルムをシート１９に封止するのに十分に長い所定の時間の長さで包装容器の所定の部分と−実際にはチョコレート１６を囲繞する縁部に沿って−接するよう配置される一ピースＳｐのフィルムと接触するように構成される。
【００７３】
ピースＳｐがチョコレート１６の周囲に気密に封止されその内部にチョコレート１６を包むと、チョコレートとピースＳｐとから構成されるグループの周囲にシート１９が折り畳まれ、これにより、包装容器１００を構成する包み１８が形成される。
【００７４】
なお、加減抵抗器６の環状本体７は、上述した封止動作の際に接触することなくまたはダメージを与えることなく食品１６の周囲に配置できるよう、種々の内径を有することができることを記載しておく。
【００７５】
また、環状本体７は、例えば三角形や長方形や正方形等種々の形状を有することができることは明らかであろう。
【先行技術文献】
【特許文献】
【００７６】
【特許文献１】特許出願公開第ＢＯ２０１３Ａ０００３９０号明細書（ＢＯ２０１３Ａ０００３９０）
【図１】
2019523183.tif 000003
【図２】
2019523183.tif 000004
【図３】
2019523183.tif 000005
【図４】
2019523183.tif 000006
【図５】
2019523183.tif 000007
【図６】
2019523183.tif 000008
【図７】
2019523183.tif 000009
【図８】
2019523183.tif 000010
【図９】
2019523183.tif 000011
【図１０】
2019523183.tif 000012
【図１１】
2019523183.tif 000013
【図１２】
2019523183.tif 000014
【図１３】
2019523183.tif 000015
【図１４】
2019523183.tif 000016
【図１５】
2019523183.tif 000017
【図１６】
2019523183.tif 000018
【図１７】
2019523183.tif 000019
【図１８】
2019523183.tif 000020
【国際調査報告】
2019523183.tif 000021
2019523183.tif 000022
2019523183.tif 000023